(57)【要約】【課題】単独で使用するときには脚部を必要数固定する一方、テーブルを連接するときには不要な脚部を省略することにより、美観を保つとともに天板の下を広くすることができるテーブルの脚部取付構造を提供すること。【解決手段】脚部１と天板２を取付プレート３を介して着脱可能に固定するテーブルの脚部取付構造において、取付プレート３を矩形形状で、天板２の連結位置と単独の天板２の隅部に収まる位置とに選択的に固定可能に形成し、取付プレート３に、脚部１を固定する複数の取付部４、５を設ける。【選択図】図１
2006180967.tif 000002
【特許請求の範囲】
【請求項１】
脚部と天板を取付プレートを介して着脱可能に固定するテーブルの脚部取付構造において、前記取付プレートを矩形形状で、天板の連結位置と単独の天板の隅部に収まる位置とに選択的に固定可能に形成し、該取付プレートに、脚部を固定する複数の取付部を設けたことを特徴とするテーブルの脚部取付構造。
【請求項２】
前記脚部を固定する取付部を、天板の連結位置及び天板の隅部位置に該当する位置に設けたことを特徴とする請求項１記載のテーブルの脚部取付構造。
【請求項３】
脚部の上部を屈曲させたことを特徴とする請求項１又は２記載のテーブルの脚部取付構造。
【発明の詳細な説明】
【技術分野】
【０００１】
本発明は、テーブル（本明細書において、「平机」等の机を含み、単に「テーブル」という。）の脚部取付構造に関し、特に、単独で使用するときには脚部を必要数固定する一方、テーブルを連接するときには不要な脚部を省略することにより、美観を保つとともに天板の下を広くすることができるテーブルの脚部取付構造に関するものである。
【背景技術】
【０００２】
一般に、テーブルは、脚部の上端に取付プレートを固定するとともに、該取付プレートをねじで天板の下面の隅部に固定するように構成されたものが多い。
このような従来のテーブルにおいては、１つの天板に対して４本の脚部が固定されており、複数のテーブルを左右又は前後に連設する場合に、脚部の本数を削減することができないことから、この連接部で脚部が重複して見苦しくなるとともに、天板の下が狭くなるという問題があった。
【発明の開示】
【発明が解決しようとする課題】
【０００３】
本発明は、上記従来のテーブルが有する問題点に鑑み、単独で使用するときには脚部を必要数固定する一方、テーブルを連接するときには不要な脚部を省略することにより、美観を保つとともに天板の下を広くすることができるテーブルの脚部取付構造を提供することを目的とする。
【課題を解決するための手段】
【０００４】
上記目的を達成するため、本発明のテーブルの脚部取付構造は、脚部と天板を取付プレートを介して着脱可能に固定するテーブルの脚部取付構造において、前記取付プレートを矩形形状で、天板の連結位置と単独の天板の隅部に収まる位置とに選択的に固定可能に形成し、該取付プレートに、脚部を固定する複数の取付部を設けたことを特徴とする。
【０００５】
この場合において、前記脚部を固定する取付部を、天板の連結位置及び天板の隅部位置に該当する位置に設けることができる。
【０００６】
また、脚部の上部を屈曲させることができる。
【発明の効果】
【０００７】
本発明のテーブルの脚部取付構造によれば、脚部と天板を取付プレートを介して着脱可能に固定するテーブルの脚部取付構造において、前記取付プレートを矩形形状で、天板の連結位置と単独の天板の隅部に収まる位置とに選択的に固定可能に形成し、該取付プレートに、脚部を固定する複数の取付部を設けるようにしているので、単独で使用するときには脚部を天板に必要数固定する一方、テーブルを連接するときには、取付プレートにより複数の天板を連結し、該連結位置の脚部を共用することができ、これにより、不要な脚部を省略して美観を保つとともに天板の下を広くすることができる。
【０００８】
また、前記脚部を固定する取付部を、天板の連結位置及び天板の隅部位置に該当する位置に設けることにより、取付プレートに大きな曲げ応力等が発生することなく脚部を固定することができる。
【０００９】
また、脚部の上部を屈曲することにより、その下部が外側に変位するように天板に取り付けることができ、これにより、天板の下を広くして使用することができる。
【発明を実施するための最良の形態】
【００１０】
以下、本発明のテーブルの脚部取付構造の実施の形態を、図面に基づいて説明する。
【実施例１】
【００１１】
図１〜図２に、本発明のテーブルの脚部取付構造を適用したテーブルの一実施例を示す。
このテーブルは、脚部１と天板２を取付プレート３を介して着脱可能に固定するものであり、前記取付プレート３を矩形形状で、天板２の連結位置と単独の天板２の隅部に収まる位置とに選択的に固定可能に形成している。
そして、取付プレート３には、脚部１を固定する複数の取付部４、５を設けるようにしている。
【００１２】
この場合、脚部１を固定する取付部は、天板２の連結位置（取付プレート３の中央）の取付部４と、天板２の隅部位置（取付プレート３の端部）に該当する位置に設けるようにすることが望ましい。
【００１３】
脚部１は、図３にも示すように、上部が屈曲されており、その下部を外側に変位するように天板２に取り付けることができ、これにより、天板２の下を広くして使用することができる。
脚部１は、例えば、天板２を単独で使用するときには通常のように４本、天板２を２枚連接するときには６本、天板２を３枚連接するときには８本使用することができる。
脚部１の上端には、取付プレート３の取付部４、５に嵌合する爪部６が設けられており、図４に示すように、爪部６の後側の掛止爪７を取付部４、５の掛止穴８に掛止するとともに、前側の差込爪９を取付部４、５の差込穴１０に差し込み、差込爪９を取付プレート３にボルト止めすることにより固定される。
【００１４】
取付プレート３は、図１〜図２に示すように、隣接する２枚の天板２を連結しうる長さに形成されるとともに、天板２に設けたボルト穴とボルト（図示省略）により、天板２の連結位置と単独の天板２の隅部に収まる位置とに選択的に固定される。
そして、図５〜図６に示すように、この取付プレート３には、前記天板２の連結位置で中央に脚部１を固定する取付部４と、前記天板２の隅部位置で端部に脚部１を固定する取付部５とが設けられている。
なお、取付部４、５は、前記掛止穴８と差込穴１０に脚部１の爪部６を嵌合させるために、脚部１の取付方向が一定となり、このため、本実施例では、端部側の固定部５は、取付プレート３の両端に設けられている。
また、図７に示すように、天板２を連結しない位置においては、単独の取付部のみを備えた小形の取付プレート３’も使用することができ、この場合は、脚部１の取付方向を斜めにしたりすることもできる。
【００１５】
次に、本実施例のテーブルの組み立て方法を説明する。
天板２を単独で使用するときには、図２に示すように、取付プレート３を天板２の４隅に、該４隅に収まるようにボルト止めする。
そして、４隅の各取付プレート３において、天板２の角に位置する端部の取付部５に、脚部１を嵌合させてボルト止めする。
【００１６】
一方、天板２を連接するときには、図１に示すように、取付プレート３を天板２の連接方向に向けて連結位置に配設し、この取付プレート３を双方の天板２にボルト止めすることにより２枚の天板２を連結する。
そして、この２箇所の取付プレート３において、中央の取付部４に脚部１を嵌合させてボルト止めする。
また、連接した天板２の４隅の各取付プレート３においては、天板２の角に位置する端部の取付部５に、脚部１を嵌合させてボルト止めする。
【００１７】
なお、テーブルとしては、図８に示すように、片側に袖１１が一体になったものも採用することができ、この場合は、天板２の他の側に取付プレート３と脚部１を設け、この取付プレート３によって隣接する天板（図示省略）と連結するとともに、取付プレート３の中央の取付部に脚部１を固定することができる。
【００１８】
このテーブルの脚部取付構造は、このように、取付プレート３を矩形形状で、天板２の連結位置と単独の天板２の隅部に収まる位置とに選択的に固定可能に形成し、該取付プレート３に、脚部１を固定する複数の取付部４、５を設けるようにしているので、単独で使用するときには脚部１を天板２に必要数固定する一方、テーブルを連接するときには、取付プレート３により複数の天板２を連結し、該連結位置の脚部１を共用することができ、これにより、不要な脚部１を省略して美観を保つとともに天板２の下を広くすることができる。
【００１９】
また、前記脚部１を固定する取付部を、天板２の連結位置（取付プレート３の中央）の取付部４と、天板２の隅部位置（取付プレート３の端部）に該当する位置に設けることにより、取付プレート３に大きな曲げ応力等が発生することなく脚部１を固定することができる。
【００２０】
また、脚部１の上部を屈曲することにより、その下部が外側に変位するように天板２に取り付けることができ、これにより、天板２の下を広くして使用することができる。
【００２１】
そして、テーブルの脚部取付構造を適用することにより、例えば、図９に示すように、複数のテーブルを任意の配置で連接することができる。
【００２２】
以上、本発明のテーブルの脚部取付構造について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００２３】
本発明のテーブルの脚部取付構造は、単独で使用するときには脚部を必要数固定する一方、テーブルを連接するときには不要な脚部を省略することにより、美観を保つとともに天板の下を広くするという特性を有していることから、例えば、レイアウトを変更することが多いの会議室のテーブルの用途などに好適に用いることができる。
【図面の簡単な説明】
【００２４】
【図１】本発明のテーブルの脚部取付構造を適用したテーブルの一実施例を示す天板を連結した斜視図である。
【図２】同実施例のテーブルを示す天板を単独で使用した斜視図である。
【図３】同テーブルの要部を示す分解斜視図である。
【図４】脚部と取付プレートの固定状態を示す断面図である。
【図５】同分解斜視図である。
【図６】同斜視図である。
【図７】他の取付プレートを用いた要部を示す分解斜視図である。
【図８】袖机に本発明のテーブルの脚部取付構造を適用した例を示し、（ａ）は平面図、（ｂ）は正面図である。
【図９】本発明のテーブルの脚部取付構造を適用したテーブルの連接方法の一例を示す平面図である。
【符号の説明】
【００２５】
１    脚部
２    天板
３    取付プレート
４    中央の取付部
５    端部の取付部
６    爪部
７    掛止爪
８    掛止穴
９    差込爪
１０  差込穴
１１  袖
【図１】
2006180967.tif 000003
【図２】
2006180967.tif 000004
【図３】
2006180967.tif 000005
【図４】
2006180967.tif 000006
【図５】
2006180967.tif 000007
【図６】
2006180967.tif 000008
【図７】
2006180967.tif 000009
【図８】
2006180967.tif 000010
【図９】
2006180967.tif 000011